(57)【要約】【課題】オートスキャンが完了するまで、チャンネルマップの編集を待つ必要がなく、ユーザの利便性を向上させることができるテレビジョン放送受信機を提供する。【解決手段】オートスキャンプログラム１８３１を実行したＣＰＵ１８１により検出されたチャンネルのチャンネル番号を含むチャンネルデータを記憶するチャンネルマップ１７１と、オートスキャンの実行中に、チャンネルマップ１７１に記憶されたチャンネルデータのチャンネル番号を、映像表示部３２に表示させる表示制御プログラム１８３４を実行したＣＰＵ１８１と、判断プログラム１８３２を実行したＣＰＵ１８１により編集が可能と判断された場合に、ユーザによる操作部１６の操作により、映像表示部３２に表示されたチャンネル番号の中から指定されたチャンネル番号を含むチャンネルデータを編集する編集プログラム１８３３を実行したＣＰＵ１８１と、を備えるよう構成した。【選択図】図１
2007288498.tif 000002
【特許請求の範囲】
【請求項１】
テレビジョン放送信号を受信する第１受信手段と、
全チャンネルをスキャンして、前記第１受信手段によりテレビジョン放送信号の受信が可能なチャンネルを検出するオートスキャン手段と、
前記オートスキャン手段の実行中に、当該オートスキャン手段により検出されたチャンネルのチャンネル番号を含むチャンネルデータを記憶する記憶手段と、
前記オートスキャン手段の実行中に、前記記憶手段に記憶されたチャンネルデータのチャンネル番号を、表示装置に表示させる表示制御手段と、
前記表示制御手段により前記表示装置に表示されたチャンネル番号の中から、一のチャンネル番号を指定する指定手段と、
前記記憶手段に記憶されたチャンネルデータの編集が可能か否かを判断する判断手段と、
前記判断手段によりチャンネルデータの編集が可能と判断された場合に、前記指定手段により指定されたチャンネル番号のチャンネル選局が可能又は不可能の何れかとなるようにチャンネルデータを編集する編集手段と、
前記指定手段により指定されたチャンネル番号のチャンネルに対応するテレビジョン放送信号を受信する第２受信手段と、
前記第２受信手段により受信されたテレビジョン放送信号に応じた放送番組を、前記表示装置を介して放映する放映手段と、
前記記憶手段に記憶されたチャンネルデータのうち、チャンネル選局が可能なチャンネルのチャンネルデータによってチャンネル選局を行うチャンネル選局手段と、を備え、
前記編集手段は、
前記指定手段により指定されたチャンネル番号のチャンネル選局が不可能となるように指示する選局不可指示手段と、
前記記憶手段に記憶されたチャンネルデータのうち、前記選局不可指示手段により指示されたチャンネル番号を含むチャンネルデータを、チャンネル選局が不可能となるように編集する選局不可編集手段と、
前記選局不可編集手段によりチャンネル選局が不可能となるように編集されたチャンネルデータのチャンネル番号のチャンネル選局が可能となるように指示する選局可指示手段と、
前記記憶手段に記憶されたチャンネルデータのうち、前記選局可指示手段により指示されたチャンネル番号を含むチャンネルデータを、チャンネル選局が可能となるように編集する選局可編集手段と、を備え、
前記表示制御手段は、前記選局不可編集手段によりチャンネル選局が不可能となるように編集されたチャンネルデータのチャンネル番号を、チャンネル選局が可能なチャンネルデータのチャンネル番号と識別可能となるように前記表示装置に表示させることを特徴とするテレビジョン放送受信機。
【請求項２】
テレビジョン放送信号を受信する受信手段と、
全チャンネルをスキャンして、前記受信手段によりテレビジョン放送信号の受信が可能なチャンネルを検出するオートスキャン手段と、
前記オートスキャン手段の実行中に、当該オートスキャン手段により検出されたチャンネルのチャンネル番号を含むチャンネルデータを記憶する記憶手段と、
前記オートスキャン手段の実行中に、前記記憶手段に記憶されたチャンネルデータのチャンネル番号を、表示装置に表示させる表示制御手段と、
前記表示制御手段により前記表示装置に表示されたチャンネル番号の中から、一のチャンネル番号を指定する指定手段と、
前記記憶手段に記憶されたチャンネルデータの編集が可能か否かを判断する判断手段と、
前記判断手段によりチャンネルデータの編集が可能と判断された場合に、前記指定手段により指定されたチャンネル番号のチャンネル選局が可能又は不可能の何れかとなるようにチャンネルデータを編集する編集手段と、
前記記憶手段に記憶されたチャンネルデータのうち、チャンネル選局が可能なチャンネルのチャンネルデータによってチャンネル選局を行うチャンネル選局手段と、
を備えることを特徴とするテレビジョン放送受信機。
【請求項３】
請求項２に記載のテレビジョン放送受信機において、
前記編集手段は、
前記指定手段により指定されたチャンネル番号のチャンネル選局が不可能となるように指示する選局不可指示手段と、
前記記憶手段に記憶されたチャンネルデータのうち、前記選局不可指示手段により指示されたチャンネル番号を含むチャンネルデータを、チャンネル選局が不可能となるように編集する選局不可編集手段と、
を備えることを特徴とするテレビジョン放送受信機。
【請求項４】
請求項３に記載のテレビジョン放送受信機において、
前記表示制御手段は、前記選局不可編集手段によりチャンネル選局が不可能となるように編集されたチャンネルデータのチャンネル番号を、チャンネル選局が可能なチャンネルデータのチャンネル番号と識別可能となるように前記表示装置に表示させることを特徴とするテレビジョン放送受信機。
【請求項５】
請求項３又は４に記載のテレビジョン放送受信機において、
前記編集手段は、
前記選局不可編集手段によりチャンネル選局が不可能となるように編集されたチャンネルデータのチャンネル番号のチャンネル選局が可能となるように指示する選局可指示手段と、
前記記憶手段に記憶されたチャンネルデータのうち、前記選局可指示手段により指示されたチャンネル番号を含むチャンネルデータを、チャンネル選局が可能となるように編集する選局可編集手段と、
を備えることを特徴とするテレビジョン放送受信機。
【請求項６】
請求項２〜５の何れか一項に記載のテレビジョン放送受信機において、
前記指定手段により指定されたチャンネル番号のチャンネルに対応するテレビジョン放送信号を受信する第２受信手段と、
前記第２受信手段により受信されたテレビジョン放送信号に応じた放送番組を、前記表示装置を介して放映する放映手段と、
を備えることを特徴とするテレビジョン放送受信機。
【発明の詳細な説明】
【技術分野】
【０００１】
本発明は、テレビジョン放送受信機に関する。
【背景技術】
【０００２】
テレビジョン放送信号（以下、「ＴＶ放送信号」という）の受信が可能なテレビジョン放送受信機においては、例えば、通常動作時に、ユーザにより選局されたチャンネルに対応するＴＶ放送信号をすばやく受信することができるように、例えば、チャンネルをチャンネル順（物理チャンネル順）にオートスキャンすることによって、ＴＶ放送信号の受信が可能なチャンネルを検出して、当該検出したチャンネルのチャンネル番号（仮想チャンネル）等を、チャンネルマップに記憶させて初期設定しておくようになっている。
【０００３】
具体的には、例えば、２段階（例えば、予備スキャンと本スキャン）のオートスキャンを行う構成であって、予備スキャンで、本スキャンするチャンネルの候補を選出し、本スキャンで、予備スキャンで選出されたチャンネルをスキャンすることによって、ＴＶ放送信号の受信が可能なチャンネルを選定して、当該選定したチャンネルのチャンネル番号等を初期設定するテレビジョン放送受信機（例えば、特許文献１及び２参照）などがある。
また、オートスキャン後（初期設定後）に、ユーザ所望のチャンネルをリスト化したお好みリストに対してユーザが任意のチャンネルを登録する場合において、当該登録の操作性が高いテレビジョン放送受信機（例えば、特許文献３参照）なども提案されている。
【０００４】
ところで、ユーザがチャンネルマップから不要なチャンネル番号等を削除する等の編集を行う際、当該編集は、従来、オートスキャン後に、すなわち、チャンネルマップにチャンネル番号等を記憶させる処理が完了した後に、行うようになっている。
【特許文献１】特開２００２−２１８３３５号公報
【特許文献２】特開２００１−１６５２４号公報
【特許文献３】特開２０００−１６５７６９号公報
【発明の開示】
【発明が解決しようとする課題】
【０００５】
しかしながら、ユーザがチャンネルマップの編集を行うためには、オートスキャンが完了するまで待つ必要があるため、煩わしいという問題がある。
これに対して、特許文献１及び２に記載の発明は、自動的にチャンネルマップを作成することについての発明であるため、ユーザが作成されたチャンネルマップを編集することについては想定されておらず、上記問題を解決できない。
また、特許文献３に記載の発明は、オートスキャン後におけるお好みリストの編集についての発明であるため、ユーザがオートスキャンの完了を待つことなくチャンネルマップを編集することについては想定されておらず、上記問題を解決できない。
【０００６】
本発明の課題は、オートスキャンが完了するまで、チャンネルマップの編集を待つ必要がなく、ユーザの利便性を向上させることができるテレビジョン放送受信機を提供することにある。
【課題を解決するための手段】
【０００７】
上記課題を解決するために、請求項１に記載の発明は、
テレビジョン放送信号を受信する第１受信手段と、
全チャンネルをスキャンして、前記第１受信手段によりテレビジョン放送信号の受信が可能なチャンネルを検出するオートスキャン手段と、
前記オートスキャン手段の実行中に、当該オートスキャン手段により検出されたチャンネルのチャンネル番号を含むチャンネルデータを記憶する記憶手段と、
前記オートスキャン手段の実行中に、前記記憶手段に記憶されたチャンネルデータのチャンネル番号を、表示装置に表示させる表示制御手段と、
前記表示制御手段により前記表示装置に表示されたチャンネル番号の中から、一のチャンネル番号を指定する指定手段と、
前記記憶手段に記憶されたチャンネルデータの編集が可能か否かを判断する判断手段と、
前記判断手段によりチャンネルデータの編集が可能と判断された場合に、前記指定手段により指定されたチャンネル番号のチャンネル選局が可能又は不可能の何れかとなるようにチャンネルデータを編集する編集手段と、
前記指定手段により指定されたチャンネル番号のチャンネルに対応するテレビジョン放送信号を受信する第２受信手段と、
前記第２受信手段により受信されたテレビジョン放送信号に応じた放送番組を、前記表示装置を介して放映する放映手段と、
前記記憶手段に記憶されたチャンネルデータのうち、チャンネル選局が可能なチャンネルのチャンネルデータによってチャンネル選局を行うチャンネル選局手段と、を備え、
前記編集手段は、
前記指定手段により指定されたチャンネル番号のチャンネル選局が不可能となるように指示する選局不可指示手段と、
前記記憶手段に記憶されたチャンネルデータのうち、前記選局不可指示手段により指示されたチャンネル番号を含むチャンネルデータを、チャンネル選局が不可能となるように編集する選局不可編集手段と、
前記選局不可編集手段によりチャンネル選局が不可能となるように編集されたチャンネルデータのチャンネル番号のチャンネル選局が可能となるように指示する選局可指示手段と、
前記記憶手段に記憶されたチャンネルデータのうち、前記選局可指示手段により指示されたチャンネル番号を含むチャンネルデータを、チャンネル選局が可能となるように編集する選局可編集手段と、を備え、
前記表示制御手段は、前記選局不可編集手段によりチャンネル選局が不可能となるように編集されたチャンネルデータのチャンネル番号を、チャンネル選局が可能なチャンネルデータのチャンネル番号と識別可能となるように前記表示装置に表示させることを特徴とする。
【０００８】
請求項２に記載の発明は、
テレビジョン放送信号を受信する受信手段と、
全チャンネルをスキャンして、前記受信手段によりテレビジョン放送信号の受信が可能なチャンネルを検出するオートスキャン手段と、
前記オートスキャン手段の実行中に、当該オートスキャン手段により検出されたチャンネルのチャンネル番号を含むチャンネルデータを記憶する記憶手段と、
前記オートスキャン手段の実行中に、前記記憶手段に記憶されたチャンネルデータのチャンネル番号を、表示装置に表示させる表示制御手段と、
前記表示制御手段により前記表示装置に表示されたチャンネル番号の中から、一のチャンネル番号を指定する指定手段と、
前記記憶手段に記憶されたチャンネルデータの編集が可能か否かを判断する判断手段と、
前記判断手段によりチャンネルデータの編集が可能と判断された場合に、前記指定手段により指定されたチャンネル番号のチャンネル選局が可能又は不可能の何れかとなるようにチャンネルデータを編集する編集手段と、
前記記憶手段に記憶されたチャンネルデータのうち、チャンネル選局が可能なチャンネルのチャンネルデータによってチャンネル選局を行うチャンネル選局手段と、
を備えることを特徴とする。
【０００９】
請求項３に記載の発明は、
請求項２に記載のテレビジョン放送受信機において、
前記編集手段は、
前記指定手段により指定されたチャンネル番号のチャンネル選局が不可能となるように指示する選局不可指示手段と、
前記記憶手段に記憶されたチャンネルデータのうち、前記選局不可指示手段により指示されたチャンネル番号を含むチャンネルデータを、チャンネル選局が不可能となるように編集する選局不可編集手段と、
を備えることを特徴とする。
【００１０】
請求項４に記載の発明は、
請求項３に記載のテレビジョン放送受信機において、
前記表示制御手段は、前記選局不可編集手段によりチャンネル選局が不可能となるように編集されたチャンネルデータのチャンネル番号を、チャンネル選局が可能なチャンネルデータのチャンネル番号と識別可能となるように前記表示装置に表示させることを特徴とする。
【００１１】
請求項５に記載の発明は、
請求項３又は４に記載のテレビジョン放送受信機において、
前記編集手段は、
前記選局不可編集手段によりチャンネル選局が不可能となるように編集されたチャンネルデータのチャンネル番号のチャンネル選局が可能となるように指示する選局可指示手段と、
前記記憶手段に記憶されたチャンネルデータのうち、前記選局可指示手段により指示されたチャンネル番号を含むチャンネルデータを、チャンネル選局が可能となるように編集する選局可編集手段と、
を備えることを特徴とする。
【００１２】
請求項６に記載の発明は、
請求項２〜５の何れか一項に記載のテレビジョン放送受信機において、
前記指定手段により指定されたチャンネル番号のチャンネルに対応するテレビジョン放送信号を受信する第２受信手段と、
前記第２受信手段により受信されたテレビジョン放送信号に応じた放送番組を、前記表示装置を介して放映する放映手段と、
を備えることを特徴とする。
【発明の効果】
【００１３】
請求項１に記載の発明によれば、第１受信手段によって、テレビジョン放送信号を受信することができ、オートスキャン手段によって、全チャンネルをスキャンして、第１受信手段によりテレビジョン放送信号の受信が可能なチャンネルを検出することができ、記憶手段によって、オートスキャン手段の実行中に、当該オートスキャン手段により検出されたチャンネルのチャンネル番号を含むチャンネルデータを記憶することができ、表示制御手段によって、オートスキャン手段の実行中に、記憶手段に記憶されたチャンネルデータのチャンネル番号を、表示装置に表示させることができ、指定手段によって、表示制御手段により表示装置に表示されたチャンネル番号の中から、一のチャンネル番号を指定することができ、判断手段によって、記憶手段に記憶されたチャンネルデータの編集が可能か否かを判断することができ、編集手段によって、判断手段により編集が可能と判断された場合に、指定手段により指定されたチャンネル番号のチャンネル選局が可能又は不可能の何れかとなるようにチャンネルデータを編集することができ、チャンネル選局手段によって、記憶手段に記憶されたチャンネルデータのうち、チャンネル選局が可能なチャンネルのチャンネルデータによってチャンネル選局を行うことができる。
すなわち、オートスキャン手段によるオートスキャンの実行中に、記憶手段に記憶されたチャンネルデータの編集ができるため、オートスキャンが完了するまで、記憶手段（チャンネルマップ）の編集を待つ必要がなくなることとなって、ユーザの利便性を向上させることができる。
【００１４】
また、選局不可指示手段によって、指定手段により指定されたチャンネル番号のチャンネル選局が不可能となるように指示することができ、選局不可編集手段によって、記憶手段に記憶されたチャンネルデータのうち、選局不可指示手段により指示されたチャンネル番号を含むチャンネルデータを、チャンネル選局が不可能となるように編集することができる。
すなわち、ユーザは、チャンネル選局しなくてよいチャンネルのチャンネル番号を指定することができるため、チャンネル選局されるチャンネルが、ユーザの好みに合ったものになって、使い勝手がよい。
【００１５】
また、表示制御手段は、選局不可編集手段によりチャンネル選局が不可能となるように編集されたチャンネルデータのチャンネル番号を、チャンネル選局が可能なチャンネルデータのチャンネル番号と識別可能となるように表示装置に表示させることができる。
すなわち、ユーザは、表示装置に表示されたチャンネル番号を見れば、そのチャンネル番号が、チャンネル選局が不可能なチャンネル番号であるか、チャンネル選局が可能なチャンネル番号であるかを識別することができるため、使い勝手がよい。
【００１６】
また、選局可指示手段によって、選局不可編集手段によりチャンネル選局が不可能となるように編集されたチャンネルデータのチャンネル番号のチャンネル選局が可能となるように指示することができ、選局可編集手段によって、記憶手段に記憶されたチャンネルデータのうち、選局可指示手段により指示されたチャンネル番号を含むチャンネルデータを、チャンネル選局が可能となるように編集することができる。
すなわち、ユーザは、一旦チャンネル選局が不可能となるように指定したチャンネル番号でも、再びチャンネル選局が可能となるように指定することができるため、チャンネル選局されるチャンネルが、より一層、ユーザの好みに合ったものとなって、使い勝手がよい。
【００１７】
また、第２受信手段によって、指定手段により指定されたチャンネル番号のチャンネルに対応するテレビジョン放送信号を受信することができ、放映手段によって、第２受信手段により受信されたテレビジョン放送信号に応じた放送番組を、表示装置を介して放映することができる。
すなわち、ユーザは、指定したチャンネル番号の放送内容を確かめることができるため、指定されたチャンネル番号のチャンネル選局が不可能となるように指示する動作や、指定されたチャンネル番号のチャンネル選局が可能となるように指示する動作などをスムーズに行うことができることとなって、使い勝手がよい。
【００１８】
請求項２に記載の発明によれば、受信手段によって、テレビジョン放送信号を受信することができ、オートスキャン手段によって、全チャンネルをスキャンして、受信手段によりテレビジョン放送信号の受信が可能なチャンネルを検出することができ、記憶手段によって、オートスキャン手段の実行中に、当該オートスキャン手段により検出されたチャンネルのチャンネル番号を含むチャンネルデータを記憶することができ、表示制御手段によって、オートスキャン手段の実行中に、記憶手段に記憶されたチャンネルデータのチャンネル番号を、表示装置に表示させることができ、指定手段によって、表示制御手段により表示装置に表示されたチャンネル番号の中から、一のチャンネル番号を指定することができ、判断手段によって、記憶手段に記憶されたチャンネルデータの編集が可能か否かを判断することができ、編集手段によって、判断手段により編集が可能と判断された場合に、指定手段により指定されたチャンネル番号のチャンネル選局が可能又は不可能の何れかとなるようにチャンネルデータを編集することができ、チャンネル選局手段によって、記憶手段に記憶されたチャンネルデータのうち、チャンネル選局が可能なチャンネルのチャンネルデータによってチャンネル選局を行うことができる。
すなわち、オートスキャン手段によるオートスキャンの実行中に、記憶手段に記憶されたチャンネルデータの編集ができるため、オートスキャンが完了するまで、記憶手段（チャンネルマップ）の編集を待つ必要がなくなることとなって、ユーザの利便性を向上させることができる。
【００１９】
請求項３に記載の発明によれば、請求項２に記載の発明と同様の効果が得られることは無論のこと、選局不可指示手段によって、指定手段により指定されたチャンネル番号のチャンネル選局が不可能となるように指示することができ、選局不可編集手段によって、記憶手段に記憶されたチャンネルデータのうち、選局不可指示手段により指示されたチャンネル番号を含むチャンネルデータを、チャンネル選局が不可能となるように編集することができる。
すなわち、ユーザは、チャンネル選局しなくてよいチャンネルのチャンネル番号を指定することができるため、チャンネル選局されるチャンネルが、ユーザの好みに合ったものになって、使い勝手がよい。
【００２０】
請求項４に記載の発明によれば、請求項３に記載の発明と同様の効果が得られることは無論のこと、表示制御手段は、選局不可編集手段によりチャンネル選局が不可能となるように編集されたチャンネルデータのチャンネル番号を、チャンネル選局が可能なチャンネルデータのチャンネル番号と識別可能となるように表示装置に表示させることができる。
すなわち、ユーザは、表示装置に表示されたチャンネル番号を見れば、そのチャンネル番号が、チャンネル選局が不可能なチャンネル番号であるか、チャンネル選局が可能なチャンネル番号であるかを識別することができるため、使い勝手がよい。
【００２１】
請求項５に記載の発明によれば、請求項３又は４に記載の発明と同様の効果が得られることは無論のこと、選局可指示手段によって、選局不可編集手段によりチャンネル選局が不可能となるように編集されたチャンネルデータのチャンネル番号のチャンネル選局が可能となるように指示することができ、選局可編集手段によって、記憶手段に記憶されたチャンネルデータのうち、選局可指示手段により指示されたチャンネル番号を含むチャンネルデータを、チャンネル選局が可能となるように編集することができる。
すなわち、ユーザは、一旦チャンネル選局が不可能となるように指定したチャンネル番号でも、再びチャンネル選局が可能となるように指定することができるため、チャンネル選局されるチャンネルが、より一層、ユーザの好みに合ったものとなって、使い勝手がよい。
【００２２】
請求項６に記載の発明によれば、請求項２〜５の何れか一項に記載の発明と同様の効果が得られることは無論のこと、第２受信手段によって、指定手段により指定されたチャンネル番号のチャンネルに対応するテレビジョン放送信号を受信することができ、放映手段によって、第２受信手段により受信されたテレビジョン放送信号に応じた放送番組を、表示装置を介して放映することができる。
すなわち、ユーザは、指定したチャンネル番号の放送内容を確かめることができるため、使い勝手がよい。
【発明を実施するための最良の形態】
【００２３】
以下、図を参照して、本発明にかかるテレビジョン放送受信機（以下、「ＴＶ放送受信機」という）の最良の形態を詳細に説明する。なお、発明の範囲は、図示例に限定されない。
【００２４】
＜テレビジョン放送受信機の構成＞
まず、ＴＶ放送受信機１の構成について、図１を参照して説明する。
【００２５】
ＴＶ放送受信機１は、例えば、アンテナ１１と、チューナ１２と、復調器１３と、デコーダ１４と、ＯＳＤ回路１５と、操作部１６と、記憶部１７と、制御部１８と、などを備えて構成される。各部は、バス１０によって接続されている。
また、ＴＶ放送受信機１は、例えば、音声出力部３１や映像表示部３２を有する出力装置３を接続している。
【００２６】
アンテナ１１と接続されるチューナ１２は、例えば、図１に示すように、第１チューナ１２ａと、第２チューナ１２ｂと、などから構成されている。
【００２７】
第１チューナ１２ａは、例えば、第１受信手段（受信手段）として、オートスキャンプログラム１８３１を実行したＣＰＵ１８１（後述）により選局されたチャンネルに対応するテレビジョン放送信号（以下、「ＴＶ放送信号」という）を受信する。
具体的には、第１チューナ１２ａは、例えば、制御部１８から入力される制御信号に従って、アンテナ１１により受信されたＴＶ放送信号（例えば、デジタル方式のＴＶ放送信号）の中から、選局された一のチャンネルに対応する周波数帯域に存在するＴＶ放送信号を受信し、当該ＴＶ放送信号を変調して、中間周波信号を復調器１３が有する第１復調器１３ａ（後述）に出力する。
【００２８】
第２チューナ１２ｂは、例えば、第２受信手段として、ユーザによる操作部１６の操作により指定されたチャンネル番号のチャンネルに対応するＴＶ放送信号を受信する。
また、第２チューナ１２ｂは、例えば、チャンネル選局プログラム１８３６を実行したＣＰＵ１８１（後述）によりチャンネル選局されたチャンネルに対応するＴＶ放送信号を受信する。
具体的には、第２チューナ１２ｂは、例えば、制御部１８から入力される制御信号に従って、アンテナ１１により受信されたＴＶ放送信号（例えば、デジタル方式のＴＶ放送信号）の中から、指定又はチャンネル選局された一のチャンネルに対応する周波数帯域に存在するＴＶ放送信号を受信し、当該ＴＶ放送信号を変調して、中間周波信号を復調器１３が有する第２復調器１３ｂ（後述）に出力する。
【００２９】
復調器１３は、例えば、図１に示すように、第１復調器１３ａと、第２復調器１３ｂと、などから構成されている。
【００３０】
第１復調器１３ａは、例えば、制御部１８から入力される制御信号に従って、第１チューナ１２ａから出力された中間周波信号に対してデジタル復調や誤り訂正などの処理を施して、ストリーム（例えば、トランスポートストリーム）をデコーダ１４が有する第１デコーダ１４ａ（後述）に出力する。
【００３１】
第２復調器１３ｂは、例えば、制御部１８から入力される制御信号に従って、第２チューナ１２ｂから出力された中間周波信号に対してデジタル復調や誤り訂正などの処理を施して、ストリーム（例えば、トランスポートストリーム）をデコーダ１４が有する第２デコーダ１４ｂ（後述）に出力する。
【００３２】
デコーダ１４は、例えば、図１に示すように、第１デコーダ１４ａと、第２デコーダ１４ｂと、などから構成されている。
【００３３】
第１デコーダ１４ａは、例えば、制御部１８から入力される制御信号に従って、第１復調器１３ａから出力されたトランスポートストリームを解読して、当該トランスポートストリームを構成する各トランスポートパケットを判別し、選局された一のチャンネルの放送番組に関連するトランスポートパケットにかかるデータを、圧縮音声データや圧縮映像データなどに分離し、当該圧縮音声データや当該圧縮映像データなどをデコードして、音声データや映像データを制御部１８に出力する。
【００３４】
第２デコーダ１４ｂは、例えば、制御部１８から入力される制御信号に従って、第２復調器１３ｂから出力されたトランスポートストリームを解読して、当該トランスポートストリームを構成する各トランスポートパケットを判別し、指定又はチャンネル選局された一のチャンネルの放送番組に関連するトランスポートパケットにかかるデータを、圧縮音声データや圧縮映像データなどに分離し、当該圧縮音声データをデコードして、音声データを出力装置３が有する音声出力部３１に出力するとともに、当該圧縮映像データをデコードして、映像データを出力装置３が有する映像表示部３２に出力する。
【００３５】
音声出力部３１は、例えば、スピーカ機器等であり、第２デコーダ１４ｂから出力された音声データに基づく音声を出力する。
【００３６】
映像表示部３２は、例えば、液晶表示機器等であり、第２デコーダ１４ｂから出力された映像データに基づく映像を表示したり、或いは、第２デコーダ１４ｂから出力されてＯＳＤ回路１５によりＯＳＤ表示信号（後述）が合成された映像データに基づく映像を表示する。
具体的には、映像表示部３２は、例えば、表示装置として、オートスキャンプログラム１８３１を実行したＣＰＵ１８１（後述）によるオートスキャンの実行中に、表示制御プログラム１８３４を実行したＣＰＵ１８１（後述）により制御されて、チャンネルマップ１７１に記憶されたチャンネルデータのチャンネル番号を表示する。
【００３７】
ＯＳＤ回路１５は、例えば、制御部１８から入力される制御信号に従って、映像表示部３２に所定のオンスクリーンディスプレイ（ＯＳＤ）表示をさせるためのＯＳＤ表示信号を、第２デコーダ１４ｂから映像表示部３２に出力される映像データに合成する。
【００３８】
操作部１６は、例えば、ＴＶ放送受信機１の外面に備えられた操作ボタン（図示省略）や、ＴＶ放送受信機１用のリモートコントローラ（図示省略）及び当該リモートコントローラと通信可能なリモコン受信部（図示省略）などから構成されており、例えば、ユーザにより操作されて、当該操作に伴う各種信号を制御部１８に出力する。
具体的には、操作部１６は、例えば、チャンネルアップ/ダウンキー等を有している。
【００３９】
操作部１６は、例えば、指定手段として、ユーザが表示制御プログラム１８３４を実行したＣＰＵ１８１（後述）により映像表示部３２に表示されたチャンネル番号の中から、一のチャンネル番号を指定する際に操作される。
また、操作部１６は、例えば、編集手段及び選局不可指示手段として、ユーザがユーザによる操作部１６の操作により指定されたチャンネル番号のチャンネル選局が不可能となるように指示する際に操作される。
また、操作部１６は、例えば、編集手段及び選局可指示手段として、ユーザが編集プログラム１８３３を実行したＣＰＵ１８１（後述）によりチャンネル選局が不可能となるように編集されたチャンネルデータのチャンネル番号のチャンネル選局が可能となるように指示する際に操作される。
【００４０】
記憶部１７は、例えば、磁気的記録媒体、光学的記録媒体、若しくは半導体メモリで構成される。
具体的には、記憶部１７には、例えば、図１に示すように、チャンネルマップ１７１等が記憶されている。
【００４１】
チャンネルマップ１７１は、例えば、記憶手段として、オートスキャンプログラム１８３１を実行したＣＰＵ１８１（後述）によるオートスキャンの実行中に、オートスキャンプログラム１８３１を実行したＣＰＵ１８１（後述）により検出されたチャンネルのチャンネル番号を含むチャンネルデータを記憶する。
具体的には、チャンネルマップ１７１は、例えば、図２に示すように、「物理チャンネル」記憶領域１７１ａと、「チャンネルデータ」記憶領域１７１ｂと、などを有している。
【００４２】
「物理チャンネル」記憶領域１７１ａは、例えば、ＴＶ放送信号が存在する周波数帯域の周波数値に対応するよう付与された物理チャンネルを記憶している。
【００４３】
「チャンネルデータ」記憶領域１７１ｂは、例えば、「チャンネル番号」記憶領域１７１ｂ１と、「選局  可/不可」記憶領域１７１ｂ２と、などを有している。
【００４４】
「チャンネル番号」記憶領域１７１ｂ１には、例えば、予め「＊＊＊」が記憶されており、オートスキャンプログラム１８３１を実行したＣＰＵ１８１（後述）により操作部１６が有するチャンネルアップ/ダウンキー等に割り当てられたチャンネル番号（仮想チャンネル）が記憶されるようになっている。
【００４５】
「選局  可/不可」記憶領域１７１ｂ２は、例えば、チャンネル選局プログラム１８３６を実行したＣＰＵ１８１（後述）により対応するチャンネル番号のチャンネル選局が可能であるか、或いは、対応するチャンネル番号のチャンネル選局が不可能であるかを記憶している。
具体的には、「選局  可/不可」記憶領域１７１ｂ２には、例えば、予め「＊＊＊」が記憶されており、チャンネル選局プログラム１８３６を実行したＣＰＵ１８１（後述）により対応するチャンネル番号のチャンネル選局が可能である場合には「可」が記憶され、対応するチャンネル番号のチャンネル選局が不可能である場合には「不可」が記憶されるようになっている。
【００４６】
制御部１８は、例えば、図１に示すように、ＣＰＵ（Central Processing Unit）１８１、ＲＡＭ（Random Access Memory）１８２、ＲＯＭ（Read Only Memory）１８３などを備えている。
【００４７】
ＣＰＵ１８１は、ＲＯＭ１８３に記憶されたＴＶ放送受信機１用の各種処理プログラムに従って各種の制御動作を行う。
【００４８】
ＲＡＭ１８２は、ＣＰＵ１８１によって実行される処理プログラムなどを展開するためのプログラム格納領域や、入力データや上記処理プログラムが実行される際に生じる処理結果などを格納するデータ格納領域などを備える。
【００４９】
ＲＯＭ１８３は、ＴＶ放送受信機１で実行可能なシステムプログラム、当該システムプログラムで実行可能な各種処理プログラム、これら各種処理プログラムを実行する際に使用されるデータ、ＣＰＵ１８１によって演算処理された処理結果のデータなどを記憶する。なお、プログラムは、コンピュータが読み取り可能なプログラムコードの形でＲＯＭ１８３に記憶されている。
具体的には、ＲＯＭ１８３は、例えば、図１に示すように、オートスキャンプログラム１８３１、判断プログラム１８３２、編集プログラム１８３３、表示制御プログラム１８３４、放映プログラム１８３５、チャンネル選局プログラム１８３６、などを記憶している。
【００５０】
オートスキャンプログラム１８３１は、例えば、チャンネル順（物理チャンネル順）に全チャンネルをスキャンして、第１チューナ１２ａ（ＴＶ放送受信機１）によりＴＶ放送信号の受信が可能なチャンネルを検出する機能を、ＣＰＵ１８１に実現させる。
【００５１】
具体的には、ＣＰＵ１８１は、例えば、一のチャンネル（物理チャンネル）を選局した際に、すなわち、一の物理チャンネルに対応する周波数帯域を第１チューナ１２ａに設定した際に、第１デコーダ１４ａから音声データや映像データが出力された場合には、第１チューナ１２ａにより当該一の物理チャンネルに対応するＴＶ放送信号の受信が可能であると判断する。そして、ＣＰＵ１８１は、例えば、チャンネルマップ１７１の「物理チャンネル」記憶領域１７１ａに記憶された当該一の物理チャンネルに対応付けて、「チャンネルデータ」記憶領域１７１ｂにチャンネルデータを記憶させる。すなわち、ＣＰＵ１８１は、例えば、「チャンネル番号」記憶領域１７１ｂ１に当該一の物理チャンネルのチャンネル番号を記憶させるとともに、「選局  可/不可」記憶領域１７１ｂ２に選局「可」を記憶させる。
そして、ＣＰＵ１８１は、この一連の動作を全物理チャンネルに対して実行する。
【００５２】
なお、ＣＰＵ１８１は、例えば、編集プログラム１８３３を実行したＣＰＵ１８１が、チャンネルマップ１７１に記憶されたチャンネルデータを編集している最中には、当該一の物理チャンネルに対応するチャンネルデータをＲＡＭ１８２に記憶させ、当該編集が終了した後に、ＲＡＭ１８２に記憶させたチャンネルデータをチャンネルマップ１７１に記憶させることとする。
【００５３】
ここで、図２に示すチャンネルマップ１７１では、例えば、第１チューナ１２ａ（ＴＶ放送受信機１）においては、物理チャンネル「２」や「４」などに対応するＴＶ放送信号の受信が可能であり、物理チャンネル「１」や「３」などに対応するＴＶ放送信号の受信が不可能であることを示している。
ＣＰＵ１８１は、かかるオートスキャンプログラム１８３１を実行することによって、オートスキャン手段として機能する。
【００５４】
判断プログラム１８３２は、例えば、オートスキャンプログラム１８３１を実行したＣＰＵ１８１によるオートスキャンの実行中に、チャンネルマップ１７１に記憶されたチャンネルデータの編集が可能か否かを判断する機能を、ＣＰＵ１８１に実現させる。
【００５５】
具体的には、ＣＰＵ１８１は、例えば、オートスキャンプログラム１８３１を実行したＣＰＵ１８１が、チャンネルマップ１７１にチャンネルデータを記憶している最中には、チャンネルマップ１７１に記憶されたチャンネルデータの編集が不可能であると判断し、オートスキャンプログラム１８３１を実行したＣＰＵ１８１が、チャンネルマップ１７１にチャンネルデータを記憶していない時には、チャンネルマップ１７１に記憶されたチャンネルデータの編集が可能であると判断する。
ＣＰＵ１８１は、かかる判断プログラム１８３２を実行することによって、判断手段として機能する。
【００５６】
編集プログラム１８３３は、例えば、オートスキャンプログラム１８３１を実行したＣＰＵ１８１によるオートスキャンの実行中に、判断プログラム１８３２を実行したＣＰＵ１８１によりチャンネルデータの編集が可能と判断された場合に、ユーザによる操作部１６の操作により指定されたチャンネル番号のチャンネル選局が可能又は不可能の何れかとなるようにチャンネルデータを編集する機能を、ＣＰＵ１８１に実現させる。
【００５７】
具体的には、ＣＰＵ１８１は、例えば、チャンネルマップ１７１に記憶されたチャンネルデータのうち、ユーザによる操作部１６の操作によりチャンネル選局が不可能となるように指示されたチャンネル番号を含むチャンネルデータを、チャンネル選局が不可能となるように編集するとともに、チャンネルマップ１７１に記憶されたチャンネルデータのうち、ユーザによる操作部１６の操作によりチャンネル選局が可能となるように指示されたチャンネル番号を含むチャンネルデータを、チャンネル選局が可能となるように編集する。
【００５８】
より具体的には、ＣＰＵ１８１は、例えば、ユーザによる操作部１６の操作によりチャンネル選局が不可能となるように指示されたチャンネル番号に対応する「選局  可/不可」記憶領域１７１ｂ２に記憶された選局「可」を選局「不可」に切り替えるとともに、ユーザによる操作部１６の操作によりチャンネル選局が可能となるように指示されたチャンネル番号に対応する「選局  可/不可」記憶領域１７１ｂ２に記憶された選局「不可」を選局「可」に切り替える。
ＣＰＵ１８１は、かかる編集プログラム１８３３を実行することによって、編集手段、選局不可編集手段及び選局可編集手段として機能する。
【００５９】
表示制御プログラム１８３４は、例えば、ＯＳＤ回路１５を介して、オートスキャンプログラム１８３１を実行したＣＰＵ１８１によるオートスキャンの実行中に、チャンネルマップ１７１に記憶されたチャンネルデータのチャンネル番号を、映像表示部３２に表示させるとともに、編集プログラム１８３３を実行したＣＰＵ１８１によりチャンネル選局が不可能となるように編集されたチャンネルデータのチャンネル番号を、チャンネル選局が可能なチャンネルデータのチャンネル番号と識別可能となるように映像表示部３２に表示させる機能を、ＣＰＵ１８１に実現させる。
【００６０】
具体的には、ＣＰＵ１８１は、例えば、ＯＳＤ回路１５を介して、例えば、図３及び４に示すような、「チャンネル番号表」Ｐ１１や「スキャンプログレスバー」Ｐ１２を含む「オートスキャン中画面」Ｐ１を、映像表示部３２に表示させる。
「チャンネル番号表」Ｐ１１には、例えば、チャンネルマップ１７１に記憶されたチャンネル番号や、ユーザによる操作部１６の操作により指定された一のチャンネル番号を囲う「指定枠」Ｐ１１ａなどが表示されるようになっている。
「スキャンプログレスバー」Ｐ１２には、例えば、オートスキャンプログラム１８３１を実行したＣＰＵ１８１によるオートスキャンの進行度合いが表示されるようになっている。
【００６１】
ここで、図３に示す「オートスキャン中画面」Ｐ１が表示された段階よりも、図４に示す「オートスキャン中画面」Ｐ１が表示された段階の方が、オートスキャンプログラム１８３１を実行したＣＰＵ１８１によるオートスキャンがより進行している。したがって、図４に示す「チャンネル番号表」Ｐ１１には、図３に示す「チャンネル番号表」Ｐ１１よりも多くのチャンネル番号が表示され、図４に示す「スキャンプログレスバー」Ｐ１２は、図３に示す「チャンネルプログレスバーＰ１２」よりも伸びている。
【００６２】
さらに、ＣＰＵ１８１は、例えば、図５に示す「オートスキャン中画面」Ｐ１のように、チャンネル選局が不可能なチャンネル番号（図５では、チャンネル番号「５−３」）と、チャンネル選局が可能なチャンネル番号（図５では、チャンネル番号「５−３」以外のチャンネル番号）とが識別可能となるように、表示されたチャンネル番号の背景色を変える等する。
ＣＰＵ１８１は、かかる表示制御プログラム１８３４を実行することによって、表示制御手段として機能する。
【００６３】
放映プログラム１８３５は、例えば、オートスキャンプログラム１８３１を実行したＣＰＵ１８１によるオートスキャンの実行中に、第２チューナ１２ｂにより受信されたＴＶ放送信号に応じた放送番組を、映像表示部３２を介して放映する機能を、ＣＰＵ１８１に実現させる。
【００６４】
具体的には、ＣＰＵ１８１は、例えば、ユーザによる操作部１６の操作により指定されたチャンネル番号のチャンネルに対応する周波数帯域を、第２チューナ１２ｂに設定して、第２チューナ１２ｂにより受信されたＴＶ放送信号に応じた放送番組を、映像表示部３２を介して放映する。
【００６５】
ここで、図３〜５に示す「オートスキャン中画面」Ｐ１においては、ユーザによる操作部１６の操作により指定されたチャンネル番号、すなわち、「指定枠」Ｐ１１ａで囲われたチャンネル番号は、チャンネル番号「５−３」であるため、「チャンネル番号表」Ｐ１１や「スキャンプログレスバー」Ｐ１２の背景には、チャンネル番号「５−３」のチャンネルの放送番組が放映されている。
ＣＰＵ１８１は、かかる放映プログラム１８３５を実行することによって、放映手段として機能する。
【００６６】
チャンネル選局プログラム１８３６は、例えば、オートスキャンプログラム１８３１を実行したＣＰＵ１８１によるオートスキャンの実行後に、チャンネルマップ１７１に記憶されたチャンネルデータのうち、チャンネル選局が可能なチャンネルのチャンネルデータによってチャンネル選局を行う機能を、ＣＰＵ１８１に実現させる。
【００６７】
具体的には、ＣＰＵ１８１は、例えば、ユーザにより操作部１６のチャンネルアップ/ダウンキーが操作されると、チャンネルマップ１７１の「選局  可/不可」記憶領域１７１ｂ２に選局「可」が記憶されたチャンネル（物理チャンネル）のみを、例えば、チャンネル番号順に、チャンネル選局する。
ＣＰＵ１８１は、かかるチャンネル選局手段を実行することによって、チャンネル選局手段として機能する。
【００６８】
＜ＴＶ放送受信機による処理＞
次に、ＴＶ放送受信機１による処理について説明する。
【００６９】
（オートスキャン処理）
まず、ＴＶ放送受信機１によるオートスキャンに関する処理について、図６のフローチャートを参照して説明する。
【００７０】
ユーザによる操作部１６の操作によって、オートスキャン処理を実行するよう指示されると（ステップＳ１１）、ＣＰＵ１８１は、例えば、オートスキャンプログラム１８３１を実行して、全ての物理チャンネルに対して、ループＡの処理を実行する（ステップＳ１２〜Ｓ２０）。
【００７１】
具体的には、一の物理チャンネルにおけるループＡの処理では、まず、ＣＰＵ１８１は、当該一の物理チャンネルを選局して（ステップＳ１３）、ＴＶ放送受信機１により当該一の物理チャンネルに対応するＴＶ放送信号の受信が可能か判断する（ステップＳ１４）。
【００７２】
ステップＳ１４で、受信が不可能であると判断すると（ステップＳ１４；Ｎｏ）、ＣＰＵ１８１は、ステップＳ２０の処理に移行する。
【００７３】
一方、ステップＳ１４で、受信が可能であると判断すると（ステップＳ１４；Ｙｅｓ）、ＣＰＵ１８１は、チャンネルマップ１７１の利用が可能か否かを判断する（ステップＳ１５）。
【００７４】
ステップＳ１５で、チャンネルマップ１７１の利用が不可能であると判断すると（ステップＳ１５；Ｎｏ）、すなわち、編集プログラム１８３３を実行したＣＰＵ１８１が、チャンネルマップ１７１に記憶されたチャンネルデータを編集している最中であると判断した場合には、ＣＰＵ１８１は、当該一の物理チャンネルに対応するチャンネルデータをＲＡＭ１８２に記憶させ（ステップＳ１６）、ステップＳ２０の処理に移行する。
【００７５】
一方、ステップＳ１５で、チャンネルマップ１７１の利用が可能であると判断すると(ステップＳ１５；Ｙｅｓ)、すなわち、編集プログラム１８３３を実行したＣＰＵ１８１が、チャンネルマップ１７１に記憶されたチャンネルデータを編集している最中でないと判断した場合には、ＣＰＵ１８１は、当該一の物理チャンネルに対応するチャンネルデータをチャンネルマップ１７１に記憶させる（ステップＳ１７）。
【００７６】
次いで、ＣＰＵ１８１は、ＲＡＭ１８２に記憶されたチャンネルデータをチャンネルマップ１７１に記憶させて（ステップＳ１８）、ＲＡＭ１８２に記憶されたチャンネルデータを消去する。
【００７７】
次いで、ＣＰＵ１８１は、表示制御プログラム１８３４を実行して、ＯＳＤ回路１５を介して、チャンネルマップ１７１に記憶されたチャンネルデータのチャンネル番号を、映像表示部３２に表示させ（ステップＳ１９）、当該一の物理チャンネルにおけるループＡの処理を終了する。
【００７８】
そして、全ての物理チャンネルに対するループＡの処理が終了すると、ＣＰＵ１８１は、本処理を終了する。
【００７９】
（編集処理）
次に、ＴＶ放送受信機１によるオートスキャン中におけるチャンネルデータの編集に関する処理について、図７のフローチャートを参照して説明する。
【００８０】
まず、ＣＰＵ１８１は、例えば、オートスキャン処理（図６）の実行中に、ユーザによる操作部１６の操作によって、液晶表示部３２に表示された「オートスキャン中画面」Ｐ１において、一のチャンネル番号が指定されると（ステップＳ３１）、ＣＰＵ１８１は、放映プログラム１８３５を実行して、当該指定された一のチャンネル番号のチャンネルに対応するＴＶ放送信号に応じた放送番組を、映像表示部３２を介して放映する（ステップＳ３２）。
【００８１】
次いで、ＣＰＵ１８１は、ユーザによる操作部１６の操作によって、ステップＳ３１で指定されたチャンネル番号のチャンネル選局が不可能となるように指示されたか否かを判断する（ステップＳ３３）。
【００８２】
ステップＳ３３で、ステップＳ３１で指定されたチャンネル番号のチャンネル選局が不可能となるように指示されたと判断すると（ステップＳ３３；Ｙｅｓ）、ＣＰＵ１８１は、判断プログラム１８３２を実行して、チャンネルマップ１７１に記憶されたチャンネルデータの編集が可能か否かを判断する（ステップＳ３４）。
【００８３】
ステップＳ３４で、チャンネルマップ１７１に記憶されたチャンネルデータの編集が不可能であると判断すると（ステップＳ３４；Ｎｏ）、すなわち、オートスキャンプログラム１８３１を実行したＣＰＵ１８１が、チャンネルマップ１７１にチャンネルデータを記憶している最中であると判断すると、ＣＰＵ１８１は、ステップＳ３４の処理を繰り返して行う。
【００８４】
一方、ステップＳ３４で、チャンネルマップ１７１に記憶されたチャンネルデータの編集が可能であると判断すると（ステップＳ３４；Ｙｅｓ）、すなわち、オートスキャンプログラム１８３１を実行したＣＰＵ１８１が、チャンネルマップ１７１にチャンネルデータを記憶している最中でないと判断すると、ＣＰＵ１８１は、編集プログラム１８３３を実行して、当該指定されたチャンネル番号に対応する、チャンネルマップ１７１に記憶された選局「可」を選局「不可」に切り替えて、ステップＳ３１で指定されたチャンネル番号を含むチャンネルデータを、チャンネル選局が不可能となるように編集する（ステップＳ３５）。
【００８５】
次いで、ＣＰＵ１８１は、表示制御プログラム１８３４を実行して、映像表示部３２に表示された「オートスキャン中画面」Ｐ１に含まれる「チャンネル番号表」Ｐ１１に表示されたチャンネル番号のうちステップＳ３５でチャンネル選局が不可能となるよう編集されたチャンネルデータのチャンネル番号の背景色を変えることによって、チャンネル選局が不可能なチャンネル番号と、チャンネル選局が可能なチャンネル番号とを識別可能に表示して（ステップＳ３６）、ステップＳ３１以降の処理を繰り返して行う。
具体的には、例えば、ステップＳ３３で、指定されたチャンネル番号「５−３」のチャンネル選局が不可能となるように指示されると、ステップＳ３６では、液晶表示部３２に表示された画面が、図４に示す「オートスキャン中画面」Ｐ１から、図５に示す「オートスキャン中画面」Ｐ１に切り替わる。
【００８６】
また、ステップＳ３３で、ステップＳ３１で指定されたチャンネル番号のチャンネル選局が不可能となるように指示されていないと判断すると（ステップＳ３３；Ｎｏ）、ＣＰＵ１８１は、ユーザによる操作部１６の操作によって、ステップＳ３１で指定されたチャンネル番号のチャンネル選局が可能となるように指示されたか否かを判断する（ステップＳ３７）。
【００８７】
ステップＳ３７で、ステップＳ３１で指定されたチャンネル番号のチャンネル選局が可能となるよう指示されていないと判断すると（ステップＳ３７；Ｎｏ）、ＣＰＵ１８１は、ステップＳ３１以降の処理を繰り返して行う。
【００８８】
一方、ステップＳ３７で、ステップＳ３１で指定されたチャンネル番号のチャンネル選局が可能となるように指示されたと判断すると（ステップＳ３７；Ｙｅｓ）、ＣＰＵ１８１は、判断プログラム１８３２を実行して、チャンネルマップ１７１に記憶されたチャンネルデータの編集が可能か否かを判断する（ステップＳ３８）。
【００８９】
ステップＳ３８で、チャンネルマップ１７１に記憶されたチャンネルデータの編集が不可能であると判断すると（ステップＳ３８；Ｎｏ）、ＣＰＵ１８１は、ステップＳ３８の処理を繰り返して行う。
【００９０】
一方、ステップＳ３８で、チャンネルマップ１７１に記憶されたチャンネルデータの編集が可能であると判断すると（ステップＳ３８；Ｙｅｓ）、ＣＰＵ１８１は、編集プログラム１８３３を実行して、当該指定されたチャンネル番号に対応する、チャンネルマップ１７１に記憶された選局「不可」を選局「可」に切り替えて、当該指定されたチャンネル番号を含むチャンネルデータを、チャンネル選局が可能となるように編集する（ステップＳ３９）。
【００９１】
次いで、ＣＰＵ１８１は、表示制御プログラム１８３４を実行して、映像表示部３２に表示された「オートスキャン中画面」Ｐ１に含まれる「チャンネル番号表」Ｐ１１に表示されたチャンネル番号のうち、ステップＳ３９でチャンネル選局が可能となるよう編集されたチャンネルデータのチャンネル番号の背景色を変えることによって、チャンネル選局が不可能なチャンネル番号と、チャンネル選局が可能なチャンネル番号とを識別可能に表示して（ステップＳ４０）、ステップＳ３１以降の処理を繰り返して行う。
具体的には、例えば、ステップＳ３７で、指定されたチャンネル番号「５−３」のチャンネル選局が可能となるように指示されると、ステップＳ４０では、液晶表示部３２に表示された画面が、図５に示す「オートスキャン中画面」Ｐ１から、図４に示す「オートスキャン中画面」Ｐ１に切り替わる。
【００９２】
以上説明した本発明のＴＶ放送受信機１によれば、第１チューナ１２ａによって、ＴＶ放送信号を受信することができ、オートスキャンプログラム１８３１を実行したＣＰＵ１８１によって、全チャンネルをスキャンして、第１チューナ１２ａによりＴＶ放送信号の受信が可能なチャンネルを検出することができ、チャンネルマップ１７１によって、オートスキャンプログラム１８３１を実行したＣＰＵ１８１によるオートスキャンの実行中に、オートスキャンプログラム１８３１を実行したＣＰＵ１８１により検出されたチャンネルのチャンネル番号を含むチャンネルデータを記憶することができ、表示制御プログラム１８３４を実行したＣＰＵ１８１によって、オートスキャンプログラム１８３１を実行したＣＰＵ１８１によるオートスキャンの実行中に、チャンネルマップ１７１に記憶されたチャンネルデータのチャンネル番号を、映像表示部３２に表示させることができ、ユーザによる操作部１６の操作によって、表示制御プログラム１８３４を実行したＣＰＵ１８１により映像表示部３２に表示されたチャンネル番号の中から、一のチャンネル番号を指定することができ、判断プログラム１８３２を実行したＣＰＵ１８１によって、チャンネルマップ１７１に記憶されたチャンネルデータの編集が可能か否かを判断することができ、編集プログラム１８３３を実行したＣＰＵ１８１によって、判断プログラム１８３２を実行したＣＰＵ１８１によりチャンネルデータの編集が可能と判断された場合に、ユーザによる操作部１６の操作により指定されたチャンネル番号のチャンネル選局が可能又は不可能の何れかとなるようにチャンネルデータを編集することができ、チャンネル選局プログラム１８４６を実行したＣＰＵ１８１によって、チャンネルマップ１７１に記憶されたチャンネルデータのうち、チャンネル選局が可能なチャンネルのチャンネルデータによってチャンネル選局を行うことができる。
すなわち、オートスキャンプログラム１８３１を実行したＣＰＵ１８１によるオートスキャンの実行中に、チャンネルマップ１７１に記憶されたチャンネルデータの編集ができるため、オートスキャンが完了するまで、チャンネルマップ１７１の編集を待つ必要がなくなることとなって、ユーザの利便性を向上させることができる。
【００９３】
また、ユーザによる操作部１６の操作によって、ユーザによる操作部１６の操作により指定されたチャンネル番号のチャンネル選局が不可能となるように指示することができ、編集プログラム１８３１を実行したＣＰＵ１８１によって、チャンネルマップ１７１に記憶されたチャンネルデータのうち、ユーザによる操作部１６の操作により指示されたチャンネル番号を含むチャンネルデータを、チャンネル選局が不可能となるように編集することができる。
すなわち、ユーザは、チャンネル選局が不可能となってよいチャンネルのチャンネル番号を指定することができるため、チャンネル選局されるチャンネルが、ユーザの好みに合ったものになって、使い勝手がよい。
【００９４】
また、表示制御プログラム１８３４を実行したＣＰＵ１８１は、編集プログラム１８３３を実行したＣＰＵ１８１によりチャンネル選局が不可能となるように編集されたチャンネルデータのチャンネル番号を、チャンネル選局が可能なチャンネルデータのチャンネル番号と識別可能となるように、具体的には、背景色を変える等して、映像表示部３２に表示させることができる。
すなわち、ユーザは、映像表示部３２に表示されたチャンネル番号を見れば、そのチャンネル番号が、チャンネル選局が不可能なチャンネル番号であるか、チャンネル選局が可能なチャンネル番号であるかを識別することができるため、使い勝手がよい。
【００９５】
また、ユーザによる操作部１６の操作によって、編集プログラム１８３３を実行したＣＰＵ１８１によりチャンネル選局が不可能となるように編集されたチャンネルデータのチャンネル番号のチャンネル選局が可能となるように指示することができ、編集プログラム１８３３を実行したＣＰＵ１８１によって、チャンネルマップ１７１に記憶されたチャンネルデータのうち、ユーザによる操作部１６の操作により指示されたチャンネル番号を含むチャンネルデータを、チャンネル選局が可能となるように編集することができる。
すなわち、ユーザは、一旦チャンネル選局が不可能となるように指定したチャンネル番号でも、再びチャンネル選局が可能となるように指定することができるため、チャンネル選局されるチャンネルが、より一層、ユーザの好みに合ったものとなって、使い勝手がよい。
【００９６】
また、第２チューナ１２ｂによって、ユーザによる操作部１６の操作により指定されたチャンネル番号のチャンネルに対応するＴＶ放送信号を受信することができ、放映プログラム１８３５を実行したＣＰＵ１８１によって、第２チューナ１２ｂにより受信されたＴＶ放送信号に応じた放送番組を、映像表示部３２を介して放映することができる。
すなわち、ユーザは、指定したチャンネル番号の放送内容を確かめることができるため、指定されたチャンネル番号のチャンネル選局が不可能となるように指示する動作や、指定されたチャンネル番号のチャンネル選局が可能となるように指示する動作などをスムーズに行うことができることとなって、使い勝手がよい。
【００９７】
なお、本発明は、上記した実施の形態のものに限るものではなく、その要旨を逸脱しない範囲で適宜変更可能である。
アンテナ１１によりデジタル方式のＴＶ放送信号が受信されるようにしたが、例えば、アナログ方式のＴＶ放送信号も受信されるようにしてもよい。
【図面の簡単な説明】
【００９８】
【図１】本発明にかかるテレビジョン放送受信機の機能的構成を示すブロック図である。
【図２】図１のチャンネルマップのデータ構造を示す図である。
【図３】「オートスキャン中画面」を示す図である。
【図４】図３の「オートスキャン中画面」が表示された時よりも、オートスキャンが進行した段階で表示される「オートスキャン中画面」を示す図である。
【図５】図４の「オートスキャン中画面」で指定されたチャンネル番号のチャンネル選局が不可能となるよう指示され、当該チャンネルデータを含むチャンネルデータをチャンネル選局が不可能となるよう編集された段階で表示される「オートスキャン中画面」を示す図である。
【図６】本発明にかかるテレビジョン放送受信機によるオートスキャンに関する処理を説明するためのフローチャートである。
【図７】本発明にかかるテレビジョン放送受信機によるオートスキャン中におけるチャンネルデータの編集に関する処理を説明するためのフローチャートである。
【符号の説明】
【００９９】
１  ＴＶ放送受信機（テレビジョン放送受信機）
１２ａ  第１チューナ（第１受信手段、受信手段）
１２ｂ  第２チューナ（第２受信手段）
１６  操作部（指定手段、選局不可指示手段、選局可指示手段）
３２  映像表示部（表示装置）
１７１  チャンネルマップ（記憶手段）
１８１  ＣＰＵ（オートスキャン手段、判断手段、編集手段、選局不可編集手段、選局可編集手段、表示制御手段、放映手段、チャンネル選局手段）
１８３１  オートスキャンプログラム（オートスキャン手段）
１８３２  判断プログラム（判断手段）
１８３３  編集プログラム（編集手段、選局不可編集手段、選局可編集手段）
１８３４  表示制御プログラム（表示制御手段）
１８３５  放映プログラム（放映手段）
１８３６  チャンネル選局プログラム（チャンネル選局手段）
【図１】
2007288498.tif 000003
【図２】
2007288498.tif 000004
【図３】
2007288498.tif 000005
【図４】
2007288498.tif 000006
【図５】
2007288498.tif 000007
【図６】
2007288498.tif 000008
【図７】
2007288498.tif 000009